(57)【要約】【課題】  上枠及び下枠における屋内露出部の有害な結露の発生を抑制することができるサッシを提供する。【解決手段】  建物の窓開口部８の屋外側に取付けられる上枠２ａ、下枠２ｂ及び左右の縦枠２ｃ，２ｄからなるサッシ枠２と、該サッシ枠２内に引違い状にスライド開閉自在に設けられた障子３，４とを備えたサッシ１であって、前記サッシ枠２の少なくとも一側が障子収納部１０として窓開口部８よりも側方に延出して形成され、前記上枠２ａ及び下枠２ｂにおける屋内露出部であって障子３，４が走行しない領域に断熱カバー部材２８，２９を着脱可能に取付けている。【選択図】          図５
2006070578.tif 000002
【特許請求の範囲】
【請求項１】
建物の窓開口部の屋外側に取付けられる上枠、下枠及び左右の縦枠からなるサッシ枠と、該サッシ枠内に引違い状にスライド開閉自在に設けられた障子とを備えたサッシであって、前記サッシ枠の少なくとも一側が障子収納部として窓開口部よりも側方に延出して形成され、前記上枠及び下枠における屋内露出部であって障子が走行しない領域に断熱カバー部材を着脱可能に取付けたことを特徴とするサッシ。
【発明の詳細な説明】
【技術分野】
【０００１】
本発明は、サッシに係り、特に全開口タイプで下枠の構造を改良したサッシに関する。
【背景技術】
【０００２】
サッシとしては、建物の窓開口部の屋外側に取付けられる上枠、下枠及び左右の縦枠からなるサッシ枠と、該サッシ枠内に引違い状にスライド開閉自在に設けられた障子とを備え、前記サッシ枠の少なくとも一側が障子収納部（戸袋部）として窓開口部よりも側方に延出して形成された全開口タイプのサッシが知られている〔例えば実開昭５７−１６５９６号公報（片寄せ全開サッシ）〕。このサッシによれば、窓開口部を全開させることができる。
【０００３】
【特許文献１】実開昭５７−１６５９６号公報
【発明の開示】
【発明が解決しようとする課題】
【０００４】
しかしながら、前記サッシにおいては、サッシ枠が建物の躯体の屋外面に取付けられ外付け構造であるため、外気温の影響を受け易く、冬場には上枠及び下枠における屋内露出部に結露が生じ易く、上枠から結露水が落下したり、下枠上面の結露水が凍結したりする問題がある。更に、下枠の上面においては、溝が露出しているため、意匠性が悪いだけでなく、溝内にゴミが落ち易いという問題がある。
【０００５】
本発明は、上記事情を考慮してなされたものであり、上枠及び下枠における屋内露出部の有害な結露の発生を抑制することができるサッシを提供することを目的とする。また、本発明の他の目的は、下枠の上面の溝がなくなることで意匠性の向上及び溝内へのゴミ落ちの解消が図れるサッシを提供することにある。
【課題を解決するための手段】
【０００６】
本発明は、建物の窓開口部の屋外側に取付けられる上枠、下枠及び左右の縦枠からなるサッシ枠と、該サッシ枠内に引違い状にスライド開閉自在に設けられた障子とを備えたサッシであって、前記サッシ枠の少なくとも一側が障子収納部として窓開口部よりも側方に延出して形成され、前記上枠及び下枠における屋内露出部であって障子が走行しない領域に断熱カバー部材を着脱可能に取付けたことを特徴とする。
【発明の効果】
【０００７】
本発明によれば、建物の窓開口部の屋外側に取付けられる上枠、下枠及び左右の縦枠からなるサッシ枠と、該サッシ枠内に引違い状にスライド開閉自在に設けられた障子とを備えたサッシであって、前記サッシ枠の少なくとも一側が障子収納部として窓開口部よりも側方に延出して形成され、前記上枠及び下枠における屋内露出部であって障子が走行しない領域に断熱カバー部材を着脱可能に取付けているため、上枠及び下枠における屋内露出部の結露の発生を抑制することができると共に、下枠の上面の溝をなくすことで意匠性の向上及び溝内へのゴミ落ちの解消が図れる。
【発明を実施するための最良の形態】
【０００８】
以下に、本発明を実施するための最良の形態について、添付図面を基に詳述する。図１は本発明の実施の形態であるサッシを概略的に示す屋外側正面図、図２は図１のＡ−Ａ線拡大断面図、図３は図１のＢ−Ｂ線拡大断面図、図４は図１のＣ−Ｃ線拡大断面図、図５は障子全開時の一部省略横断面図である。
【０００９】
本実施の形態ないし実施例は、本発明を合掌式に左右に内外２枚ずつ障子を配した両寄せ全開口タイプのサッシに適用した場合を示している。これらの図に示すように、このサッシ１は、建物の窓開口部８の前面部すなわち躯体７の屋外面（室外面）に取付けられる上枠２ａ、下枠２ｂ及び左右の縦枠２ｃ，２ｄからなるサッシ枠２と、該サッシ枠２内にスライド開閉自在に設けられた内外２枚の障子３，４とを備えている。また、前記サッシ枠２内における外障子よりも室外側には少なくとも内外２枚の網戸５，６がスライド開閉自在に設けられている。
【００１０】
前記サッシ枠２の少なくとも一側、図示例では両側が障子収納部（戸袋部ともいう）１０として窓開口部８よりも側方に延出して形成され、略窓開口部８の範囲で障子３，４を全開できるようになっている。換言すれば、このサッシ１は、建物の躯体７の窓開口部８の前面部（屋外面）に障子３，４を建付ける障子摺動部９と、該障子摺動部９の少なくとも一側方図示例では両側方に前記障子３，４を収納可能な障子収納部１０と、前記障子摺動部９と障子収納部１０の境界位置（窓開口部の側部）に配設される方立１１とを備えている。
【００１１】
上枠２ａ、下枠２ｂ、縦枠２ｃ，２ｄ及び方立１１は、例えばアルミ押出形材からなり、上枠２ａ、下枠２ｂ、窓開口部８の一側に位置される一方の縦枠２ｃ及び方立１１は、中空構造（ホロー構造）とされている。方立１１は上枠２ａと下枠２ｂの間に配置されていると共に窓開口部８の両側に位置されて躯体７の屋外面に固定されている。方立１１は障子摺動部９と干渉しないようにサッシ枠２内における屋内寄りに配置されている。サッシ枠１は躯体７の屋外面に固定された外付け構造とされている。
【００１２】
この場合、下枠２ｂの取付強度を高めるために、下枠２ｂの窓開口部８に対応する部分を窓台１２に係止して固定するためのブラケット１３が係合構造１４とネジ（固着具）１５により下枠２ｂの屋内面（室内面）に取付けられている（図２ないし図３参照）。このブラケット１３は下枠の屋内面に取付けられる垂直部１３ａと、この垂直部１３ａの上縁部から屋内側へ直角に折り曲げられ、窓台１２の上部に係止されてネジ１６で固定される水平部１３ｂとを有している。すなわち、サッシ枠２の取付けには、外付け構造の他に、下枠２ｂの荷重を窓台１２で受けるいわゆる半外付け仕様が採用されている。
【００１３】
上枠２ａの下面には障子３，４の上部を案内するための上部ガイドレール１７ａ，１７ｂが上枠２ａの全長に設けられている。障子摺動部９として、下枠２ｂ上には上面フラット構造とするために、上面フラット仕様の下部ガイドレール１８ａ，１８ｂが方立１１よりも屋外側であって両縦枠２ｃ，２ｄ間の下枠２ｂの全長に取付けられている。障子収納部（戸袋部）１０においては、図示例では躯体７の屋外面に外壁材１９を取付けているが、サッシ枠２の屋外面に鏡板を取付けても良い（図示省略）。
【００１４】
内障子３は、上框２０ａ、下框２０ｂ及び左右の縦框２０ｃ，２０ｄからなる框組体２０内にパネルであるガラス２１を装着してなる。外障子４は、上框２２ａ、下框２２ｂ及び左右の縦框２２ｃ，２２ｄからなる框組体２２内にパネルであるガラス２１を装着してなる。下框２０ｂ，２２ｂには下部ガイドレール１７ａ，１７ｂ上を走行する戸車２３が設けられている。方立１１と内障子３の縦框２０ｄには障子閉鎖時に互いに係合する煙返しが設けられ、外障子４の召合せ框（召外框）２２ｄと内障子３の召合せ框（召内框）２４ｃには障子閉鎖時に互いに係合する煙返しが設けられている（図示省略）。外障子４よりも屋外側に網戸５，６をスライド開閉自在に支持するために、上枠２ａと下枠２ｂの対向面には網戸用の上部レール２６ａ，２６ｂと下部レール２７ａ，２７ｂが左右の縦枠２ｃ，２ｄ間の全長に設けられている。
【００１５】
一方、前記上枠２ａ及び下枠２ｂにおける屋内露出部であって障子３，４が走行しない領域には、断熱カバー部材である上部カバー部材２８及び下部カバー部材２９が着脱可能に取付けられている。先ず、上部カバー部材２８は、障子閉鎖時の内障子３，３間に配置される上部第１カバー部材２８ａと、両側の方立１１，１１間に配置される上部第２カバー部材２８ｂとからなり、これら上部第１カバー部材２８ａ及び上部第２カバー部材２８ｂは一体であっても良いが、図示例のように別体に構成されていても良い。
【００１６】
上部第１カバー部材２８ａは、屋内側上部ガイドレール１７ａを覆うと共に屋外側縁部が屋外側上部ガイドレール１７ｂの基部側屋内面に形成した上部第１係止受部３０に係止され、屋内側縁部が上部第２カバー部材２８ｂの屋外面に突設した上部第２係止受部３１に係止されている。上部第２カバー部材２８ｂは、上枠２ａの下面に突設された一対の上部第３係止受部３２に係止される上部係止部３３が形成されている。
【００１７】
下枠２ｂの上面には、下部ガイドレール１８ａ，１８ｂを取付けるための２本の取付溝３４ａ，３４ｂと、各取付溝３４ａ，３４ｂの屋外側に各障子３，４の屋外面下部から垂下された垂下片３５ａ，３５ｂを案内するための案内溝３６ａ，３６ｂとが形成されている。下部ガイドレール１８ａ，１８ｂは例えばアルミ押出形材により形成されている。下部ガイドレール１８ａ，１８ｂの上面部には戸車が走行する断面山形の走行路３７が形成されていると共に、この走行路３７と平行にその屋内側にゴム又は軟質樹脂製の滑り止め部材３８が設けられている。この滑り止め部材３８は下部ガイドレール１８ａ，１８ｂの上面部に形成した装着溝３９に装着されている。案内溝３６ａ，３６ｂの屋内側立上り壁には垂下片３５ａ，３５ｂとの間をシールするための気密材４０が設けられている。
【００１８】
次に、下部カバー部材２９は、上面が略フラット構造に形成されている。下部カバー部材２９は、障子閉鎖時の内障子３，３間に配置される下部第１カバー部材２９ａと、両側の方立１１，１１間に配置される下部第２カバー部材２９ｂとからなり、これら下部第１カバー部材２９ａ及び下部第２カバー部材２９ｂは一体であっても良いが、図示例のように別体に構成されていても良い。この下部第１カバー部材２９ａを下枠２ｂ上に取付けるために、内障子３側の下部ガイドレール１８ａにおける下部第１カバー部材２９ａの位置する領域が切除されている。また、滑り止め部材３８における下部第１カバー部材２９ａの位置する領域も切除されている。
【００１９】
下部第１カバー部材２９ａは、前記滑り止め部材３８の切除された装着溝３９、内側の下部ガイドレール１８ａの取付溝３４ａ及びこれらの間の案内溝３６ａに係合してこれらの上面を覆うよう形成されている。下部第１カバー部材２９ａは、装着溝３９内の屋外側立上り壁に形成した下部第１係止受部４１ａに屋外側縁部が係止され、取付溝３４ｂ内の屋内側立上り壁に係合する係合部４２が形成されている。下枠２ｂ上における障子摺動部９よりも屋内側には長手方向に沿って溝４３が形成され、該溝４３における両方立１１，１１間の領域に係合してその上面及び前記ブラケット１３の水平部１３ｂを覆うように下部第２カバー部材２９ｂが形成されている。
【００２０】
下部第２カバー部材２９ｂの屋外側縁部には前記溝４３内の屋外側立上り壁に形成した下部第２係止受部４１ｂに係止される係止部４４が形成され、屋内側縁部には前記水平部１３ｂの屋内側縁部に形成した下部第３係止受部４１ｃに係止される係止部４５が形成されている。図８に示すように、下部第１カバー部材２９ａの長手方向の端部には長手方向に隣接する部材との間の継目段差を解消するための端部キャップ４６が設けられていることが好ましい。また、端部キャップ４６は、下部第１カバー部材２９ａの断面を隠すようになっていることが好ましい。
【００２１】
以上の構成からなるサッシ１によれば、建物の窓開口部８の屋外側に取付けられる上枠２ａ、下枠２ｂ及び左右の縦枠２ｃ，２ｄからなるサッシ枠２と、該サッシ枠２内に引違い状にスライド開閉自在に設けられた障子３，４とを備え、前記サッシ枠２の少なくとも一側が障子収納部１０として窓開口部８よりも側方に延出して形成され、前記上枠２ａ及び下枠２ｂにおける屋内露出部であって障子３，４が走行しない領域に断熱カバー部材である上部カバー部材２８及び下部カバー部材２９を着脱可能に取付けているため、上枠２ａ及び下枠２ｂにおける屋内露出部の有害な結露（結露水の落下や凍結）の発生を抑制することができる。
【００２２】
特に、下枠２ｂの上面に下部カバー部材２９を取付けることにより、下枠２ｂの上面（障子閉鎖時に屋内側に露出する領域）の溝をなくすことができ、意匠性の向上が図れると共に溝内へのゴミ落ちを解消することができる。また、上部カバー部材２８及び下部カバー部材２９は着脱可能であるため、メンテナンスや交換が容易にできると共に材質や断面構造を変えたものを用意することにより環境に対応した防露性能を有するものを選択することが可能になる。
【００２３】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、本発明は合掌式でない片引き全開口サッシにも適用可能である。また、障子は内外少なくとも２枚式であれば良く、例えば３枚式であっても良い。
【図面の簡単な説明】
【００２４】
【図１】本発明の実施の形態であるサッシを概略的に示す屋外側正面図である。
【図２】図１のＡ−Ａ線拡大断面図である。
【図３】図１のＢ−Ｂ線拡大断面図である。
【図４】図１のＣ−Ｃ線拡大断面図である。
【図５】障子全開時の一部省略横断面図である。
【図６】上枠の要部拡大断面図である。
【図７】下枠の要部拡大断面図である。
【図８】（ａ）は障子全開時の下枠上面を示す斜視図、（ｂ）は（ａ）のＤ部拡大斜視図である。
【符号の説明】
【００２５】
１  サッシ
２  サッシ枠
２ａ  上枠
２ｂ  下枠
２ｃ、２ｄ  縦枠
３，４  障子
８  窓開口部
１０  障子収納部
２８  上部カバー部材（断熱カバー部材）
２９  下部カバー部材（断熱カバー部材）
【図１】
2006070578.tif 000003
【図２】
2006070578.tif 000004
【図３】
2006070578.tif 000005
【図４】
2006070578.tif 000006
【図５】
2006070578.tif 000007
【図６】
2006070578.tif 000008
【図７】
2006070578.tif 000009
【図８】
2006070578.tif 000010